(57)【要約】【課題】情報の重要度を容易に変更でき、変更された重要度に基づいて情報を表示する情報表示装置、情報表示方法、情報表示プログラム及び記憶媒体を提供することを目的とする。【解決手段】外部装置と接続され、該外部装置に格納された情報を表示する情報表示装置１において、前記外部装置から前記情報を取得する情報取得手段１０１と、前記情報取得手段１０１により取得された前記情報を格納する情報格納手段１０３と、入力された情報に基づいて、前記情報格納手段１０３により格納された前記情報の評価を行う情報評価手段１０４と、前記情報格納手段１０３により格納された前記情報を表示する表示手段１０５と、  前記表示手段１０５による表示を制御する表示制御手段と、を有し、前記表示制御手段は、前記情報評価手段１０４による評価結果に基づいて、前記情報格納手段１０３により格納された情報の内の所定の情報を前記表示手段１０５により表示させることを特徴とする情報表示装置１。【選択図】図３
2008065717.tif 000002
【特許請求の範囲】
【請求項１】
外部装置と接続され、該外部装置に格納された情報を表示する情報表示装置において、
前記外部装置から前記情報を取得する情報取得手段と、
前記情報取得手段により取得された前記情報を格納する情報格納手段と、
入力された情報に基づいて、前記情報格納手段により格納された前記情報の評価を行う情報評価手段と、
前記情報格納手段により格納された前記情報を表示する表示手段と、  
前記表示手段による表示を制御する表示制御手段と、
を有し、
前記表示制御手段は、前記情報評価手段による評価結果に基づいて、前記情報格納手段により格納された情報の内の所定の情報を前記表示手段により表示させることを特徴とする情報表示装置。
【請求項２】
前記情報格納手段は、前記情報取得手段により取得された前記情報を情報のカテゴリ毎に格納し、前記情報に対して前記情報評価手段により行われる評価は、前記情報と同一のカテゴリの情報に反映されることを特徴とする請求項１に記載の情報表示装置。
【請求項３】
前記情報評価手段により行われる前記評価は、前記情報の重要度を上げるか下げるかであることを特徴とする請求項１又は２に記載の情報表示装置。
【請求項４】
情報を格納する情報格納部、前記情報格納部において格納された前記情報を表示する表示部を有し、外部装置と接続され、該外部装置に格納された情報を表示する情報表示装置における情報表示方法において、
前記外部装置から前記情報を取得する情報取得工程と、
入力された情報に基づいて、前記情報格納部において格納された前記情報の評価を行う情報評価工程と、
前記表示部による表示を制御する表示制御工程と、
を有し、
前記表示制御工程は、前記情報評価工程における評価結果に基づいて、前記情報格納部により格納された情報の内の所定の情報を前記表示部により表示させることを特徴とする情報表示方法。
【請求項５】
請求項４に記載の情報表示方法をコンピュータに実現させるための情報表示プログラム。
【請求項６】
請求項５に記載の情報表示プログラムを記録したコンピュータ読取可能な記録媒体。
【発明の詳細な説明】
【技術分野】
【０００１】
本発明は、情報表示装置、情報表示方法、情報表示プログラム及び記録媒体に関する。
【背景技術】
【０００２】
近年、インターネット、特にＷＷＷの発達により、ユーザが触れる情報の量は膨大になっている。例えば、ネットサーフィンと呼ばれる行為によってＷＷＷの情報を見てまわるとき、ブックマークと呼ばれる機能によって気になったＷＷＷページを記録することができる。これにより、ユーザは、記録されたＷＷＷページに次にアクセスしようとしたときに、簡単にこれを行うことができる。ところが、そのブックマークの数自体が膨大になってしまうと、ユーザは、ブックマークとして記録されたＷＷＷページから自分のアクセスするＷＷＷページを探すのに多くの時間を要する。
【０００３】
そこで、近年出てきた技術としてＲＳＳ（Ｒｅｓｏｕｒｃｅ  Ｓｉｔｅ  Ｓｕｍｍａｒｙ）と呼ばれるものがある。ＲＳＳは、ブログ及び各種ウェブサイトの更新情報を簡単にまとめ配信するための文書フォーマットの総称である。ＲＳＳでは、情報が作成や更新されたときに、そのサマリーをユーザに提示する。ユーザは気に入ったＲＳＳフィードを購読すると、購読した情報だけを単一のインターフェース（ＲＳＳリーダーと呼ばれる）で読むことができるようになる。
【０００４】
ところが、それでも情報量の増加は防げず、多くの情報の中から必要な情報を効率的に見せる手段が必要になってきた。
【０００５】
このような多くの情報の中から必要な情報を効率的に見せることを目的として種々の発明がなされてきた。
【０００６】
特許文献１に開示された発明では、情報に重要度を付属させ、その重要度に対応する順番で自動的に情報を順次再生する技術が開示されている。これにより、極めて多くの種類の情報の中から適切な情報を短時間で効率的に見ることが可能になるというものである。また、情報はジャンル分けされており、ユーザが指定したジャンルの情報のみを表示するようにすることもできる。
【特許文献１】特開２００５−３２２２５９
【発明の開示】
【発明が解決しようとする課題】
【０００７】
しかしながら、特許文献１に開示された発明では、重要度は情報に予め付属されており、ユーザは、個々の情報に対して重要度を変更できないという問題があった。即ち、特許文献１に開示された情報表示方法では、システムが重要度の順に表示するため、ユーザ対応した重要度に基づいて表示されないので、ユーザは見たい情報をすぐに見ることができない場合があった。
【０００８】
本発明は、上記の点に鑑みて、この問題を解消するために発明されたものであり、情報の重要度を容易に変更でき、変更された重要度に基づいて情報を表示する情報表示装置、情報表示方法、情報表示プログラム及び記録媒体を提供することを目的とする。
【課題を解決するための手段】
【０００９】
上記の目的を達成するために、本発明の情報表示装置は、外部装置と接続され、該外部装置に格納された情報を表示する情報表示装置において、前記外部装置から前記情報を取得する情報取得手段と、前記情報取得手段により取得された前記情報を格納する情報格納手段と、入力された情報に基づいて、前記情報格納手段により格納された前記情報の評価を行う情報評価手段と、前記情報格納手段により格納された前記情報を表示する表示手段と、  前記表示手段による表示を制御する表示制御手段と、を有し、前記表示制御手段は、前記情報評価手段による評価結果に基づいて、前記情報格納手段により格納された情報の内の所定の情報を前記表示手段により表示させるように構成することができる。
【００１０】
また、上記の目的を達成するために、本発明の前記情報格納手段は、前記情報取得手段により取得された前記情報を情報のカテゴリ毎に格納し、前記情報に対して前記情報評価手段により行われる評価は、前記情報と同一のカテゴリの情報に反映されるように構成することができる。
【００１１】
また、上記の目的を達成するために、本発明の前記情報評価手段により行われる前記評価は、前記情報の重要度を上げるか下げるかであるように構成することができる。
【００１２】
また、上記の目的を達成するために、本発明の情報表示方法は、情報を格納する情報格納部、前記情報格納部において格納された前記情報を表示する表示部を有し、外部装置と接続され、該外部装置に格納された情報を表示する情報表示装置における情報表示方法において、前記外部装置から前記情報を取得する情報取得工程と、入力された情報に基づいて、前記情報格納部において格納された前記情報の評価を行う情報評価工程と、前記表示部による表示を制御する表示制御工程と、を有し、前記表示制御工程は、前記情報評価工程における評価結果に基づいて、前記情報格納部により格納された情報の内の所定の情報を前記表示部により表示させるように構成することができる。
【００１３】
また、上記の目的を達成するために、本発明の情報表示プログラムは、前記情報表示方法をコンピュータに実現させるための情報表示プログラムであるように構成することができる。
【００１４】
また、上記の目的を達成するために、本発明の記録媒体は、前記情報表示プログラムを記録したコンピュータ読取可能な記録媒体であるように構成することができる。
【発明の効果】
【００１５】
本発明の情報表示装置、情報表示方法及び情報表示プログラムによれば、効率的に情報の重要度を変更でき、変更された重要度に基づいて情報を表示することができる。
【発明を実施するための最良の形態】
【００１６】
以下、本発明の実施するための最良の形態を図面に基づき説明する。
［実施形態］
本発明の実施形態に係る情報表示装置について図１〜１２を用いて説明を行う。
（システムの構成）
まず、本実施形態の情報表示装置を用いたシステムの構成例について図１を用いて説明を行う。図１は、本実施形態の情報表示装置を用いたシステム構成例を示す図である。
【００１７】
図１において、受信側である本実施形態の情報表示装置１は、ＬＡＮ（Ｌｏｃａｌ  Ａｒｅａ  Ｎｅｔｗｏｒｋ）などのネットワークを介して送信側である情報提供装置２ａ、２ｂなどの外部装置に接続されている。
【００１８】
情報表示装置１は、外部装置、例えば、情報提供装置２ａ、２ｂなどに格納された情報を取得し、これを表示する。情報表示装置１の詳細については後述のハードウェアの構成以降で説明を行う。
【００１９】
情報提供装置２ａは、情報を提供する装置である。例えば、情報提供者としての新聞社が有する装置であり、全国からの記事が集められ、記憶される図示しない大型計算機に接続されている。この大型計算機に収集されたデータから最新のホットニュース記事を作成するため、所定のデータを転送受信する。情報提供装置２ａでは、テキストデータから、５０字乃至１００字程度のサマリー記事からなる文書情報を作成する。
【００２０】
情報提供装置２ｂは、情報を提供する装置である。例えば、情報提供者としての出版社が有する装置である。詳細については、情報提供装置２ａと同様であるので、ここでは説明を省略する。
【００２１】
以上のシステムの構成により、本実施形態の情報表示装置１は、情報提供装置２ａ、２ｂにおいて作成された文書情報を取得し、これを表示する。
【００２２】
なお、図１では、本実施形態の情報表示装置１は、情報提供装置２ａ、２ｂの２つの情報提供装置から文書情報を取得しているが、この場合には限らず、１つ以上の情報提供装置から文書情報を取得するものとする。
（ハードウェアの構成）
次に、本実施形態の情報表示装置１のハードウェアの構成例について図２を用いて説明を行う。図２は、本実施形態の情報表示装置のハードウェア構成例を示す図である。
【００２３】
図２において、情報表示装置１は、それぞれバス１１で相互に接続されているＣＰＵ（Ｃｅｎｔｒａｌ  Ｐｒｏｃｅｓｓｉｎｇ  Ｕｎｉｔ）１２、メモリ装置１３、補助記憶装置（ＨＤＤ等）１４、ドライブ装置１５、インターフェース装置１７、表示装置１８を有する。
【００２４】
ＣＰＵ１２は、メモリ装置１３、及び補助記憶装置１４などに格納されたプログラム等に従って処理を実行するための装置である。
【００２５】
メモリ装置１３は、プログラム、データ等を、一時的に保存するための装置である。例えば、情報表示装置１の起動時に補助記憶装置１４から情報表示プログラム等を読み出して格納する。また、情報表示プログラムの処理に用いられるデータ等を保持する。なお、情報表示プログラムは、本発明に係るものであり、その詳細については以降の機能の構成例及び動作例において説明を行う。
【００２６】
補助記憶装置１４は、情報表示プログラム、ＯＳ（Ｏｐｅｒａｔｉｎｇ  Ｓｙｓｔｅｍ）、データ等を保存するための装置である。例えば、ドライブ装置１５を介して記録媒体１６に記録された情報表示プログラムが補助記憶装置１４にインストールされる。
【００２７】
ドライブ装置１５は、記録媒体１６をセットするための装置である。ドライブ装置１５は、例えば、記録媒体１６がＣＤ−ＲＯＭであればＣＤ−ＲＯＭドライブである。
【００２８】
記録媒体１６は、ＣＤ−ＲＯＭ等の記録媒体である。なお、記録媒体は、半導体媒体、例えば、ＲＯＭ、不揮発性メモリーカードなどであってよい。また、光媒体、例えば、ＤＶＤ，ＭＯ、ＭＤなどであってもよい。また、磁気媒体、例えば、磁気テープ、フレキシブルディスクなどであってもよい。
【００２９】
インターフェース装置１７は、外部との情報をやり取りする装置である。情報表示装置１は、インターフェース装置１７を介して、例えば、ＬＡＮなどと接続されている。
【００３０】
表示装置１８は、画面表示を行う装置である。例えば、ディスプレイ等である。
【００３１】
以上の装置の構成により、情報表示装置１では、図示しない例えば、情報提供装置２ａ、２ｂなどの外部装置からインターフェース装置１７を介して情報を受信し、受信した情報を補助記憶装置１４に保存された情報表示プログラムなどに従って、表示装置１８を介して画面表示する。
【００３２】
なお、情報表示プログラムが、図示しない機能拡張ボードや機能拡張ユニットに備わるメモリにロードされ、そのプログラムの指示に基づき、その機能拡張ボードや機能拡張ユニットに備わるＣＰＵなどが実際の処理の一部又は全部を行ってもよい。
（機能の構成）
次に、本実施形態の情報表示装置の機能の構成例について図３を用いて説明を行う。図３は、本実施形態の情報表示装置の機能の構成例を示す図である。
【００３３】
図３において、情報表示装置１は、情報取得手段１０１、情報制御手段１０２、情報格納手段１０３、情報評価手段１０４、表示手段１０５を有する。
【００３４】
情報取得手段１０１は、図示しない外部装置から情報、例えば文書情報を取得する。例えば、ＲＳＳを用いて行う。ＲＳＳに関しては、従来技術であり詳細についての説明をここでは省略する。
【００３５】
情報制御手段１０２は、情報、例えば文書情報の制御を行う。例えば、情報取得手段１０１により取得された情報を後述の情報格納手段１０３に格納する。また、後述の情報評価手段１０４における評価に基づいて情報格納手段１０３に格納された情報の制御を行う。例えば、ＣＰＵ１２が情報表示プログラムに基づいて行う処理である。
【００３６】
情報格納手段１０３は、情報、例えば文書情報を格納する。例えば、メモリ装置１３であり、情報取得手段１０１により取得された情報を格納する。
【００３７】
情報評価手段１０４は、情報、例えば文書情報の評価を行う。例えば、ＣＰＵ１２が、ユーザにより入力された情報に基づいて行う処理であり、文書情報に付与された重要度情報を変更することにより行う。
【００３８】
表示手段１０５は、情報格納手段１０３により格納された情報、例えば文書情報を表示する。また、このときの表示内容については、情報制御手段１０２により制御される。例えば、表示装置１８などである。
【００３９】
表示制御手段１０６は、表示手段１０５の表示の制御を行う。例えば、表示装置１８であるディスプレイ中のグラフィックボード等である。
以上の機能の構成により、本実施形態の情報表示装置１は、例えば、情報提供装置２ａ、２ｂなどの図示しない外部装置において作成された文書情報を取得し、これを表示する。なお、表示方法の詳細については、以降の動作例において説明を行う。
【００４０】
なお、本実施形態の情報表示装置１において、表示手段１０５は、情報表示装置１の外部にある場合も含むものとする。
（動作例）
次に、本実施形態の情報表示装置１の動作例について図４〜１０を用いて説明する。図４は、本実施形態の情報表示装置１の動作例に係る動作フローを示す図である。図５は、本実施形態の動作例に係る文書情報の例を示す図である。
【００４１】
ここでは、本実施形態の情報表示装置１は、まず、外部装置から図５の文書情報を取得する。取得した文書情報には、その文書情報の種類（以降の説明においてはチャンネルという表現を用いている）に基づいて、種類毎に重要度を示す重要度情報が付与される。次に、ユーザとの対話に基づいてこの重要度の変更を行い、重要度順に表示を行う。
【００４２】
それでは、図４を用いて動作を説明する。
【００４３】
まず、文書取得手段１０１は、外部装置から文書情報を取得する（Ｓ１０１）。ここでは、ＲＳＳを用いて、外部装置である情報提供装置２ａ、２ｂ等から図５で示される文書情報を取得する。図５において、文書情報は、情報のソースを表すチャンネル（カテゴリでもよい）と情報の所在を表すＵＲＬ（Ｕｎｉｆｏｒｍ  Ｒｅｓｏｕｒｃｅ  Ｌｏｃａｔｏｒ）の組からなっている。なお、文書情報の中身については、この場合には限らないものとする。
【００４４】
次に、情報制御手段１０２は、ステップＳ１０１において取得された文書情報のチャンネル情報を情報格納手段１０３に格納する（Ｓ１０２）。
【００４５】
ここでは、図５に示されるように、チャンネル情報は"２ｃｈ"、"ｙｕｕｈｉ−ｎｅｗｓ"、"ｋａｔｏｈ−ｂｌｏｇ"，"ｓｕｚｕｋｉ−ｂｌｏｇ"の４種類あり、これらが情報格納手段１０３に登録される。このとき、チャンネル毎に重要度（デフォルト値１０）が付与される（図６参照）なお、図６は、動作例のステップＳ１０２に係るチャンネルと重要度の関係を示す図である。
【００４６】
次に、情報制御手段１０２は、ステップＳ１０１において取得された文書情報と同じ文書情報が情報格納手段１０３により格納されているか否かを判断する（Ｓ１０３）。格納されているとき（Ｓ１０３、ＹＥＳ）、ステップＳ１０４へ移る。格納されていないとき（Ｓ１０３、ＮＯ）、ステップＳ１０５へ移る。
【００４７】
ここでは、ステップＳ１０１において取得された文書情報と同じチャンネルの文書情報が情報格納手段１０３により格納されているか否かが判断される。本動作例では、このとき、情報格納手段１０３により格納された文書情報はないので、ステップＳ１０５へ移るが、ステップＳ１０４についても次に説明を行う。
【００４８】
ステップＳ１０４へ移った場合、情報制御手段１０２は、情報格納手段１０３により格納された文書情報のチャンネルの重要度を下げる（Ｓ１０４）。処理が終了すると、ステップＳ１０５へ移る。
【００４９】
ここでは、情報制御手段１０２は、ステップＳ１０１において取得された文書情報のチャンネルの重要度を一律に、例えば１、低くする。その後、ステップＳ１０５へ移る。
【００５０】
ステップＳ１０５へ移った場合、情報制御手段１０２は、ステップＳ１０１において取得された文書情報を情報格納手段１０３に格納する（Ｓ１０５）。
【００５１】
ここでは、図５で示される文書情報が、格納される。このとき、図７で示されるように図５の各文書情報には、重要度が付加された形で格納される。なお、図７は、動作例のステップＳ１０５に係る格納文書情報を示す図である。
【００５２】
次に、ステップＳ１０６へ移って、表示手段１０５は、情報格納手段１０３により格納された文書情報の中から重要度の高い文書情報を一つ表示する（Ｓ１０６）。
【００５３】
ここでは、詳細には、まず、情報制御手段１０２が、情報格納手段１０３により格納された文書情報の中から最も重要度の高い文書情報を一つ抽出する。本動作例では、情報格納手段１０３に格納された文書情報は、全て重要度が１０であるので、この場合は、ランダムに一つ抽出してもよい。このとき、チャンネル名：２ｃｈ、ＵＲＬ：ｈｔｔｐ：／／ａａａ．ｊｐ／ｂｂｂ／０１１３．ｈｔｍｌを抽出する。次に、表示制御手段１０６は、情報制御手段１０２から抽出された文書情報を受信し、これを表示手段１０５により表示するよう制御する。表示手段１０５は、これを表示する（図８参照）。なお、図８は、動作例のステップＳ１０６に係る情報表示を示す図である。
【００５４】
また、表示制御手段１０６は、表示された文書情報のチャンネルが重要なものか否かの評価をユーザに促すように表示手段１０５の表示を制御する。ここでは、「ＯＫ」又は「ＮＧ」を選択可能なインターフェースになっており、「ＯＫ」が選択されると、その文書情報のチャンネルは重要であり、「ＮＧ」が選択されると、重要でない、という評価を行うことが可能になっている。即ち、ユーザは文書情報に対して評価を行うことが可能になる。なお、評価の反映方法については、以降のステップで説明を行う。
【００５５】
次に、ステップＳ１０７へ移って、情報制御手段１０２は、ステップＳ１０６において表示した文書情報を情報格納手段１０３から削除する（Ｓ１０７）。
【００５６】
ここでは、ステップＳ１０６において表示したチャンネル名：２ｃｈ、ＵＲＬ：ｈｔｔｐ：／／ａａａ．ｊｐ／ｂｂｂ／０１１３．ｈｔｍｌの文書情報を情報格納手段１０３から削除する。このとき、情報格納手段１０３により格納された文書情報は図９で示される。図９は、動作例のステップＳ１０７に係る格納文書情報を示す図である。
【００５７】
次に、ステップＳ１０８へ移って、表示手段１０５は、「ＯＫ」又は「ＮＧ」の選択を施される（Ｓ１０８）。「ＯＫ」が選択されると（Ｓ１０８、ＹＥＳ）、ステップＳ１０９へ移る。「ＮＧ」が選択されると（Ｓ１０８、ＮＯ）、ステップＳ１１０へ移る。
【００５８】
ここでは、詳細には、ユーザは、表示手段１０５において表示された「ＯＫ」又は「ＮＧ」の選択を行う。「ＯＫ」が入力されるとステップＳ１０９へ移る。「ＮＧ」が入力されるとステップＳ１１０へ移る。なお、本動作例では、「ＮＧ」が入力されてステップＳ１１０へ移るものとするが、ステップＳ１０９についても説明を行う。
【００５９】
ステップＳ１０９へ移った場合、情報評価手段１０４は、表示手段１０５から「ＯＫ」の入力を受信して、この入力に基づいて評価を行う（Ｓ１０９）。処理が終了するとステップＳ１１１へ移る。
【００６０】
ここでは、情報評価手段１０４は、ユーザによる「ＯＫ」の入力を受信して、ステップＳ１０６で表示した文書情報のチャンネルの文書情報の重要度を一律に１上げるという評価を行い、この評価結果を情報制御手段１０２に送信する。情報制御手段１０２は、情報評価手段１０４の評価結果を受信し、受信した評価結果に基づいて情報格納手段１０３に格納された文書情報のうち、ステップＳ１０６で表示した文書情報のチャンネルの文書情報の重要度を一律に１上げるという制御を行う。
【００６１】
ステップＳ１１０へ移った場合、情報評価手段１０４は、表示手段１０５から「ＮＧ」の入力を受信して、この入力に基づいて評価を行う（Ｓ１１０）。処理が終了するとステップＳ１１０へ移る。
【００６２】
ここでは、情報評価手段１０４は、ユーザによる「ＮＧ」の入力を受信して、ステップＳ１０６で表示した文書情報のチャンネルの文書情報の重要度を一律に１下げるという評価を行い、この評価結果を情報制御手段１０２に送信する。情報制御手段１０２は、情報評価手段１０４の評価結果を受信し、受信した評価結果に基づいて情報格納手段１０３に格納された文書情報のうち、ステップＳ１０６で表示した文書情報のチャンネルの文書情報の重要度を一律に１下げるという制御を行う。本動作例においては、チャンネル名：２ｃｈの文書情報の重要度を一律に１下げる（図１０参照）。図１０（ａ）は、動作例のステップＳ１１０に係るチャンネルと重要度の関係を示す図である。図１０（ｂ）は、動作例のステップＳ１１０に係る格納文書情報を示す図である。
【００６３】
ステップＳ１１１へ移って、情報制御手段１０２は、情報格納手段１０３に情報が格納されているか否かを判定する（Ｓ１１１）。格納されていると判定されたとき（Ｓ１１１、ＹＥＳ）、ステップＳ１０６へ戻って再び表示を行う。格納されていないと判定されたとき（Ｓ１１１、ＮＯ）、処理を終了する。
【００６４】
ここでは、情報格納手段１０３に情報が格納されているか否かを判定する。本動作例では、図１０（ｂ）で示されるように情報が格納されているので、格納されていると判定され（Ｓ１１０、ＹＥＳ）、ステップＳ１０６へ戻って再び表示を行う。
【００６５】
以上の動作により、本実施形態の情報表示装置１は、まず、外部装置から図５の文書情報を取得する。取得した文書情報のチャンネル毎に重要度が付与される。次に、ユーザとの対話に基づいてこの重要度の変更を行い、重要度順に表示を行う。また、本実施形態の情報表示装置１において、表示手段１０５は、文書情報の内の一つを評価結果に基づいて表示を行う（Ｓ１０６参照）が、これは、初めに文書情報を取得（Ｓ１０１〜Ｓ１０５参照）した後、又は文書情報のチャンネル重要度の変更を行った（Ｓ１１１ＹＥＳ参照）後の場合がある。
【００６６】
これにより、以下に掲げる効果を奏する。その効果とは、図８のような重要度を上げるか下げるかのインターフェースを用いることにより、情報の重要度を容易に指定できることである。
【００６７】
また、別の効果として、指定された重要度に基づいて、文書情報を重要なものから順次表示し、ユーザからのフィードバックによって、チャンネル毎に重要度を変えて情報を表示することができることである。
【００６８】
さらには、対象となった文書情報の重要度の変更を、その文書情報のチャンネル全体の重要度に反映することにより、容易に直感的な操作で未知の情報についても重要度を変更し、重要な順に情報を得ることができることである。
【００６９】
なお、本実施形態の情報表示装置１が外部装置から取得した文書情報は、チャンネル毎に分けられている（ステップＳ１０１〜Ｓ１０２参照）。これは、一つの外部装置から取得した文書情報をチャンネル毎に分ける場合、複数の外部装置から取得した文書情報をチャンネル毎に分ける場合も含むものとする。
【００７０】
また、ステップＳ１０６において、表示手段１０５は、文書情報の内の一つの表示を行っているが、この場合に限らない。文書情報の内の所定の情報（例えば、重要度の高い複数の文書情報）の表示を行う場合も含むものとする。
（動作例補足）
次に、動作例補足として、前述の動作例においてステップＳ１０６へ戻った以降の処理を図１１〜１３を用いて簡単に説明を行う。
【００７１】
動作例では、ステップＳ１０８において、重要度の変更の際に「ＮＧ」が選択された。ここでは、「ＯＫ」が選択される動作を行う。
【００７２】
それでは、ステップＳ１０６からの処理について説明を行う。
【００７３】
ステップＳ１０６へ移って、表示手段１０５は、情報格納手段１０３により格納された文書情報の中から重要度の高い文書情報を一つ表示する（Ｓ１０６）。
【００７４】
ここでは、詳細にはまず、情報制御手段１０２が、情報格納手段１０３により格納された文書情報の中から最も重要度の高い文書情報を一つ抽出する。本動作例では、情報格納手段１０３に格納された文書情報（図１０（ｂ）参照）において最も高い重要度１０である文書情報の中から、ランダムに一つ、（チャンネル名：ｋａｔｏｈ−ｂｌｏｇ、ＵＲＬ：ｈｔｔｐ：／／ｋｋｋ．ｏｒｇ／ｋａｔｏｈ／２００６００３０４．ｈｔｍｌ）を抽出する。次に、抽出された文書情報は、表示手段１０５に送られる。表示制御手段１０６は、情報制御手段１０２から抽出された文書情報を受信し、これを表示手段１０５により表示するよう制御する。表示手段１０５は、これを表示する（図１１参照）。なお、図１１は、動作例補足のステップＳ１０６に係る情報表示を示す図である。
【００７５】
また、表示制御手段１０６は、表示された文書情報のチャンネルが重要なものか否かの評価をユーザに促すように表示手段１０５の表示を制御する。ここでも、「ＯＫ」又は「ＮＧ」を選択可能なインターフェースになっている。
【００７６】
次に、ステップＳ１０７へ移って、情報制御手段１０２は、ステップＳ１０６において表示した文書情報を情報格納手段１０３から削除する（Ｓ１０７）。
【００７７】
ここでは、チャンネル名：ｋａｔｏｈ−ｂｌｏｇ、ＵＲＬ：ｈｔｔｐ：／／ｋｋｋ．ｏｒｇ／ｋａｔｏｈ／２００６００３０４．ｈｔｍｌの文書情報を情報格納手段１０３から削除する。このとき、情報格納手段１０３により格納された文書情報は図１２で示される。図１２は、動作例補足のステップＳ１０７に係る格納文書情報を示す図である。
【００７８】
次に、ステップＳ１０８へ移って、表示手段１０５は、「ＯＫ」又は「ＮＧ」の選択を施される（Ｓ１０８）。ここでは、「ＯＫ」が入力されてステップＳ１０９へ移る。
【００７９】
ステップＳ１０９へ移った場合、情報評価手段１０４は、表示手段１０５から「ＯＫ」の入力を受信して、この入力に基づいて評価を行う（Ｓ１０９）。処理が終了するとステップＳ１１１へ移る。
【００８０】
ここでは、情報評価手段１０４は、ユーザによる「ＯＫ」の入力を受信して、ステップＳ１０６で表示した文書情報のチャンネルの文書情報の重要度を一律に１上げるという評価を行い、この評価結果を情報制御手段１０２に送信する。情報制御手段１０２は、情報評価手段１０４の評価結果を受信し、受信した評価結果に基づいて情報格納手段１０３に格納された文書情報のうち、ステップＳ１０６で表示した文書情報のチャンネルの文書情報の重要度を一律に１上げるという制御を行う。本動作例においては、チャンネル名：ｋａｔｏｈ−ｂｌｏｇの文書情報の重要度を一律に１上げる（図１３参照）。図１３（ａ）は、動作例補足のステップＳ１０９に係るチャンネルと重要度の関係を示す図である。図１３（ｂ）は、動作例補足のステップＳ１０９に係る格納文書情報を示す図である。
【００８１】
ステップＳ１１１へ移って、情報制御手段１０２は、情報格納手段１０３に情報が格納されているか否かを判定する（Ｓ１１１）。格納されていると判定されたとき（Ｓ１１１、ＹＥＳ）、ステップＳ１０６へ戻って再び表示を行う。格納されていないと判定されたとき（Ｓ１１１、ＮＯ）、処理を終了する。
【００８２】
ここでは、情報格納手段１０３に情報が格納されているか否かを判定する。本動作例では、図１０（ｂ）で示されるように情報が格納されているので、格納されていると判定され（Ｓ１１０、ＹＥＳ）、ステップＳ１０６へ戻って再び表示を行う。
【００８３】
動作例補足は、以上である。以上の動作例及び動作例補足を繰り返すことにより、ユーザからのフィードバックを情報表示に反映させることが可能になる。
【００８４】
以上、実施の形態に基づき本発明の説明を行ってきたが、上記実施の形態にあげたその他の要素との組み合わせなど、ここで示した要件に本発明が限定されるものではない。これらの点に関しては、本発明の主旨をそこなわない範囲で変更することが可能であり、その応用形態に応じて適切に定めることができる。
【図面の簡単な説明】
【００８５】
【図１】本実施形態の情報表示装置を用いたシステム構成例を示す図
【図２】本実施形態の情報表示装置のハードウェア構成例を示す図
【図３】本実施形態の情報表示装置の機能の構成例を示す図
【図４】本実施形態の情報表示装置の動作例に係る動作フローを示す図
【図５】本実施形態の情報表示装置の動作例に係る文書情報の例を示す図
【図６】動作例のステップＳ１０２に係るチャンネルと重要度の関係を示す図
【図７】動作例のステップＳ１０５に係る格納文書情報を示す図
【図８】動作例のステップＳ１０６に係る情報表示を示す図
【図９】動作例のステップＳ１０７に係る格納文書情報を示す図
【図１０】（ａ）動作例のステップＳ１１０に係るチャンネルと重要度の関係を示す図  （ｂ）動作例のステップＳ１１０に係る格納文書情報を示す図
【図１１】動作例補足のステップＳ１０６に係る情報表示を示す図
【図１２】動作例補足のステップＳ１０７に係る格納文書情報を示す図
【図１３】（ａ）動作例補足のステップＳ１０９に係るチャンネルと重要度の関係を示す図（ｂ）動作例補足のステップＳ１０９に係る格納文書情報を示す図
【符号の説明】
【００８６】
１  情報表示装置
１２  ＣＰＵ
１３  メモリ装置
１４  補助記憶装置
１５  ドライブ装置
１６  記録媒体
１７  インターフェース装置
１８  表示装置
１０１  情報取得手段
１０２  情報制御手段
１０３  情報格納手段
１０４  情報評価手段
１０５  表示手段
１０６  表示制御手段
【図１】
2008065717.tif 000003
【図２】
2008065717.tif 000004
【図３】
2008065717.tif 000005
【図４】
2008065717.tif 000006
【図５】
2008065717.tif 000007
【図６】
2008065717.tif 000008
【図７】
2008065717.tif 000009
【図８】
2008065717.tif 000010
【図９】
2008065717.tif 000011
【図１０】
2008065717.tif 000012
【図１１】
2008065717.tif 000013
【図１２】
2008065717.tif 000014
【図１３】
2008065717.tif 000015